(57)【特許請求の範囲】
【請求項１】
マルチフィルムの切断片を挾持搬送する一対のピックアップベルトを備え、これらピックアップベルトのピックアップ側を上下動自在に設けると共に、ピックアップ側を下方に付勢するピックアップ付勢手段を設けたことを特徴とするマルチフィルム切断装置。
【請求項２】
マルチフィルムの切断片を挾持搬送する一対のピックアップベルトを備え、これらピックアップベルトの略中間に中間プーリを配設して屈曲部を形成し、該屈曲部を中心としてベルト先端側を上下動自在に設けたことを特徴とするマルチフィルム切断装置。
【請求項３】
マルチフィルムの切断片を挾持搬送する一対のピックアップベルトを備え、該ピックアップベルトのピックアップ部下側に、マルチフィルムを押えるフィルム押え板を配設したことを特徴とするマルチフィルム切断装置。
【請求項４】
フィルム押え板の後側を、中央を切欠いた２股形状に形成すると共に、この２股部を下方に付勢するように設けたことを特徴とする請求項３記載のマルチフィルム切断装置。
【発明の詳細な説明】
【０００１】
【産業上の利用分野】
本発明は例えば圃場の作物栽培面を覆うマルチフィルムを切断し、移植用穴の開設などを行うマルチフィルム切断装置に関する。
【０００２】
【従来の技術】
従来、マルチフィルムをヒータや切断刃などによって切断して移植用穴を形成する手段にあって、切断されたフィルムが切断片として残るものにおいては、吸引装置などを用いて切断片を強制吸引してこの取除きを行っている。また部分的に切れ残りを設けてこのような取除きを行わない手段においては、切断他側を土内に埋め込んで移植用穴の形成確保を行っている。
【０００３】
【発明が解決しようとする課題】
しかし乍ら切断片を吸引除去する手段の場合、フィルムと共に、泥土までも一緒に吸引するという問題があり、また切断片の埋め残しの場合、風などによってこの切断片がめくれ上って移植苗に悪影響を与えるなどの問題があった。
【０００４】
【課題を解決するための手段】
したがって本発明は、マルチフィルムの切断片を挾持搬送する一対のピックアップベルトを備え、これらピックアップベルトのピックアップ側を上下動自在に設けると共に、ピックアップ側を下方に付勢するピックアップ付勢手段を設けて、マルチフィルムで覆う圃場表土の起伏にピックアップベルトのピックアップ部を良好に追従可能とさせて、表土に対するベルトの順応性を良好とさせ、このピックアップ機能を向上させるものである。
【０００５】
また、マルチフィルムの切断片を挾持搬送する一対のピックアップベルトを備え、これらピックアップベルトの略中間に中間プーリを配設して屈曲部を形成し、該屈曲部を中心としてベルト先端側を上下動自在に設けて、植付駆動部などを屈曲部によって回避した植付爪近傍位置でのコンパクトなベルトの配設を可能とすると共に、屈曲部を中心として搬送前半では緩傾斜としてピックアップ機能を高め、後半では急傾斜として高位置における回収を可能とさせて、この作業性を向上させるものである。
【０００６】
さらに、マルチフィルムの切断片を挾持搬送する一対のピックアップベルトを備え、該ピックアップベルトのピックアップ部下側に、マルチフィルムを押えるフィルム押え板を配設して、フィルム押え板によってマルチフィルムを安定且つ良好に押えながらの確実な切断やベルトによるピックアップ作業を可能とするもので、フィルムの切断とこの回収作業の能率向上化を図るものである。
【０００７】
またさらに、フィルム押え板の後側を、中央を切欠いた２股形状に形成すると共に、この２股部を下方に付勢するように設けて、走行作業中マルチフィルムを切断及び回収する切断部や回収部が圃場の起伏や機体振動などによって上下動するときにも、常に安定良好にマルチフィルムを押える状態とさせてこれら切断及び回収作業の確実化を図るものである。
【０００８】
【実施例】
以下、本発明の実施例を図面に基づいて詳述する。図１はベルト回収装置の背面図、図２は全体の側面図、図３は苗移植機の側面図、図４は同平面図である。図中（１）は作業者が搭乗する走行車であるトラクタであり、前後輪（２）（３）と操向ハンドル（４）と運転席（５）などを備えると共に、前記ハンドル（４）前側のボンネット（６）内側にエンジン（７）を配設させ、エンジン（７）によって前後輪（２）（３）を駆動して前後進させる一方、操向ハンドル（４）によって前輪（２）を方向転換させて走行進路を変更するように構成している。
【０００９】
図５乃至図６にも示す如く、トラクタ（１）の後部に昇降リンク機構（８）を介し左右一対の２条用植付ユニット（９）を有する苗植付部（１０）を装備させるもので、植付ユニット（９）の左右外側に配設する左右予備苗載台（１１）と、植付ユニット（９）の前側に配設する左右走行補助車輪（１２）と、畝面を鎮圧する鎮圧ローラ（１３）と、この鎮圧された畝面に苗載台（１４）上のハード形苗トレイ（１５）より苗取出爪（１６）によって取出された１株分のポット苗（Ａ）を植付けるホッパ形苗植付爪（１７）と、植付け後の苗に覆土を行う培土ローラ（１８）とを備え、植付駆動機構（１９）でもって略楕円軌跡を描いて昇降する植付爪（１７）の上昇時、前記苗取出爪（１６）より供給落下される苗（Ａ）を受取って、下降時畝面に開成する移植穴にこの植付けを行うように構成している。
【００１０】
前記苗載台（１４）は、ハード形苗トレイ（１５）を略鉛直状で且つ横長手方向に搭載して機体の前後方向に横送りするように設けたもので、上下部を移植ユニットフレーム（２０）の上ガイドレール（２１）及び下ガイドシャフト（２２）に支持させて、横送りネジ軸（２３）に台移動子（２４）を結合させて、前記ネジ軸（２３）の回転でもって苗載台（１４）の前後往復の横送りを行うように構成している。
【００１１】
また前記苗載台（１４）は、前側板（２５）と後側板（２６）の上下間に縦送り駆動及び遊動スプロケット軸（２７）（２８）を介して縦送り駆動及び遊動スプロケット（２９）（３０）を設けて、これらスプロケット（２９）（３０）間に苗トレイ（１５）の各セル（１５ａ）外底陥没部に掛合させる縦送りピン（３１ａ）を有する縦送りチェン（３１）を張架させて、苗載台（１４）の前後横送り終端時前記ネジ軸（２３）に連動する縦送り駆動軸（３２）の縦送りカム（３３）の作用によって後側板（２６）の後外面に設置する縦送り駆動機構（３４）を動作させ、スプロケット（２９）を一定量回転させて苗トレイ（１５）の縦送りを行うように構成している。
【００１２】
さらに、前記苗取出爪（１６）は、植付ミッションケース（３５）の苗取出力軸（３６）に連動する苗取駆動軸（３７）に、ロータリケース（３８）及び苗取出アーム（３９）を介して連結させて左右横送りされる苗トレイ（１５）より１株分毎のポット苗（Ａ）を取出すように構成している。
【００１３】
またさらに前記苗植付爪（１７）は、植付駆動機構（１９）を構成する植付伝動ケース（４０）の植付駆動軸（４１）にロータリケース（４２）及びクランクアーム（４３）を介して植付アーム（４４）を連動連結させて、苗取出爪（１６）の苗取り動作にタイミングを同調させた昇降植付動作を行わしめて、畝（Ｂ）上面に一定間隔毎にポット苗（Ａ）を連続的に植付けるように構成している。
【００１４】
図７乃至図１５に示す如く、マルチフィルム（４５）を高圧流体である水（Ｃ）の噴射によって略円形に切断してフィルム（４５）に移植用穴（Ｄ）を開成する流体切断装置（４６）と、この切断後のフィルム切断片（４５ａ）を搬送除去するベルト回収装置（４７）とを植付部（１０）は備えるもので、前記切断装置（４６）はトラクタ（１）前部の前バンパ（４８）に装備する前バランスウエイト兼用の水タンク（４９）と、該水タンク（４９）の水を加圧供給する２連プランジャポンプ（５０）と、該ポンプ（５０）からの高圧水をマルチフィルム（４５）に噴射させて切断する左右一対の噴射ノズル（５１）と、該ノズル（５１）の水の噴射及び噴射停止を行う噴射弁（５２）とを備え、植付部（１０）前側に配設する作業ステップ（５３）左上面のポンプ台（５４）に前記ポンプ（５０）を設置すると共に、植付伝動ケース（４０）後端側に取付板（５５）を介して前記噴射弁（５２）を連結支持させ、該弁（５２）の後側面にノズル回動体（５６）を介して左右の噴射ノズル（５１）を突設させて、植付爪（１７）の若干前方位置でノズル（５１）によるフィルム（４５）の切断を行うように構成している。
【００１５】
前記ノズル回動体（５６）は、噴射弁（５２）の開閉スプール（５７）の左右両側で該スプール（５７）に平行な軸芯部を中心として左右揺動自在に噴射弁（５２）に設け、噴射弁（５２）に回転自在に支持するカム軸（５８）の切断用カム（５９）に、回動体（５６）の回動アーム（６０）を接合連結させるもので、前記カム（５９）は円筒形状で左右両側の円周面をカム面（５９ａ）に形成し、左右の回動アーム（６０）他端のカムローラ（６１）をバネ（６２）力でカム面（５９ａ）に当接させ、機体の前進速度に対しカム（５９）を１回転させて所定比率の速度で左右ノズル（５１）を揺動させるとき、左右ノズル（５１）から噴射される高圧水を途中で衝突することなくマルチフィルム（４５）面に到達させて、高圧水によるその切断軌跡（Ｌ１）（Ｌ２）が左右対称の略半円形で噴射開始及び終了時に交叉（噴射弁（５２）の開閉を円形切断開始より早く開とし、切断終了より遅れて閉とする）するように形成して、略円形のフィルム（４５）面に移植用穴（Ｄ）を開成するように構成している。
【００１６】
また前記カム軸（５８）は、植付伝動ケース（４０）の左外側に突出させる植付駆動軸（４１）に、スプロケット（６３）（６４）及びチェン（６５）を介し連動連結させると共に、図１０、図１１、図１４にも示す如く、カム軸（５８）の右端に取付ける弁開閉カム（６６）を、揺動アーム（６７）・アーム軸（６８）・スプール操作アーム（６９）を介して噴射弁（５２）のスプール（５７）に連動連結させて、植付爪（１７）に連動したノズル（５１）の揺動及び噴射を行わしめて、植付タイミングに同調した移植用穴（Ｄ）の開成を行うように構成している。
【００１７】
前記ベルト回収装置（４７）は、苗植付爪（１７）と噴射ノズル（５１）間の左側で左右横方向に配設する前後一対の断面丸形のピックアップベルト（７０ａ）（７０ｂ）と、該ベルト（７０ａ）（７０ｂ）を駆動するピックアップ用電動モータ（７１）と、前記ベルト（７０ａ）（７０ｂ）の送り終端を臨ませるフィルム切断片回収容器（７２）とを備え、前記ベルト（７０ａ）（７０ｂ）は左側の駆動プーリ（７３ａ）（７３ｂ）と右側の従動プーリ（７４ａ）（７４ｂ）間に左高右低状に張架させ、従動プーリ（７４ａ）（７４ｂ）側を送り始端に設け、ユニットフレーム（２０）に固設する取付フレーム（７５）に連結板（７６）を介して電動モータ（７１）及び容器（７２）を支持させ、前後何れか一方の駆動プーリ（７３ａ）或いは（７３ｂ）のプーリ軸（７７ａ）或いは（７７ｂ）を電動モータ（７１）に連結させると共に、各プーリ軸（７７ａ）（７７ｂ）間を一対の平ギヤ（７８）で連動連結して、左右ベルト（７０ａ）（７０ｂ）の対向内側面にフィルム切断片（４５ａ）を挾持して右下側の切断位置から左上側の回収位置まで搬送するように構成している。
【００１８】
また前記ベルト（７０ａ）（７０ｂ）は、ベルト送り方向とは軸芯を直交させる中間プーリ（７９ａ）（７９ｂ）（７９ｃ）を中間に配設して植付駆動部などより回避させるベルト屈曲部（８０）に形成するもので、前記フレーム（７５）に固設する逆門形のフレーム板（８１）先端に、中間プーリ（７９ａ）（７９ｂ）（７９ｃ）のプーリ軸（８２）を連結支持させ、該プーリ軸（８２）の遊嵌軸ボス（８３）に基端を固設するピックアップアーム（８４）先端に、前記従動プーリ（７４ａ）（７４ｂ）のプーリ軸（８５ａ）（８５ｂ）を、またこの左近接位置に補助ローラ（８６ａ）（８６ｂ）のローラ軸（８７ａ）（８７ｂ）を取付けて、中間プーリ軸（８２）を中心としてピックアップアーム（８４）を介しベルト（７０ａ）（７０ｂ）の送り始端側を上下揺動自在に設けている。
【００１９】
また、前記従動プーリ（７４ａ）（７４ｂ）のうち後側のプーリ（７４ｂ）は、前側のプーリ（７４ａ）より右側に突出させて配置させ、前後のベルト（７０ａ）（７０ｂ）間に段差（ｔ）を設けて、フィルム切断片（４５ａ）をベルト（７０ａ）（７０ｂ）間に確実に拾い上げるように構成している。
【００２０】
さらに前記軸ボス（８３）に固設するバネ取付片（８８）とフレーム（７５）間に、ベルト（７０ａ）（７０ｂ）の送り始端側を下方に付勢する付勢手段である引張バネ（８９）を設けて、ベルト（７０ａ）（７０ｂ）先端作用面を畝（Ｂ）表土の起伏に順応可能とさせると共に、前記カム軸（５８）の左端に固設する円筒形カム（９０）の左円周カム面（９０ａ）に、前記軸ボス（８３）に固設する揺動アーム（９１）先端のローラ（９２）を圧接させて、ノズル（５１）の揺動及び噴射にタイミングを同調させたベルト（７０ａ）（７０ｂ）の上下揺動を間欠的に行わしめるように構成している。
【００２１】
またさらに図１１乃至図１２にも示す如く、平面視門形状で側面視Ｌ形状の弾性フィルム押え板（９３）を、前記ベルト（７０ａ）（７０ｂ）の送り始端側の下位置に設けるもので、押え板（９３）前側の立上り上端部（９３ａ）を前記噴射弁（５２）に連結させると共に、押え板（９３）後側の水平状の２股部である平坦部（９３ｂ）の裏面をフイルム（４５）面に弾性力でもって摺接させ、且つノズル（５１）の噴射口（５１ａ）とベルト（７０ａ）（７０ｂ）の送り始端部とを押え板（９３）後側の２股開口部（９３ｃ）内に臨まさせて、ノズル（５１）によるフィルム（４５）の切断及びベルト（７０ａ）（７０ｂ）によるフィルム切断片（４５ａ）の回収作業を円滑且つ安定化させるように構成している。
【００２２】
図７乃至図８にも示す如く、前記植付ミッションケース（３５）の入力軸（９４）を六角形の植付駆動軸（９５）に伝動チェン（９６）を介し、またトラクタ（１）のＰＴＯ軸に植付入力軸（９７）及びベベルギヤ（９８）を介し連結する植付伝動軸（９９）に、前記駆動軸（９５）を伝動チェン（１００）を介しそれぞれ連結させ、前記植付駆動軸（４１）のスプロケット（１０１）にミッションケース（３５）の植付出力軸（１０２）のスプロケット（１０３）をチェン（１０４）を介し連動連結させる一方、植付部（１０）の本体フレーム（１０ａ）左側のカウンタケース（１０５）に設けるカウンタ軸（１０６）と前記駆動軸（９５）とを伝動ベルト（１０７）を介し、また前記水ポンプ（５０）のポンプ軸（１０８）とカウンタ軸（１０６）とを伝動ベルト（１０９）を介しそれぞれ連動連結させて、ＰＴＯ出力でもって切断装置（４６）及び回収装置（４７）などの駆動をそれぞれ行うように構成している。
【００２３】
なおピックアップベルト（７０ａ）（７０ｂ）に断面丸形状のものを用いたが、偶数多角形状のものを用いて表面に凹凸を形成させても良い。
【００２４】
本実施例は上記の如く構成するものにして、畝（Ａ）上面を覆う一般的なマルチフィルム（４５）を切断する場合、噴射ノズル（５１）の直径を約０．３ｍｍとし、噴射ノズル（５１）支持高さを約５〜１５ｃｍとし、噴射ノズル（５１）水圧を約２００ｋｇ／平方センチメートルとし、１株当り約４．５ｃｃの高圧水を噴射ノズル（５１）から噴射させることにより、直径が約５ｃｍの大きさの穴（Ｄ）をマルチフィルム（４５）に形成することができるもので、穴（Ｄ）の形成と同時に灌水を行えて移植苗の活着を促進させ、さらに肥料または薬剤を水タンク（４９）の水に混入させることにより、穴（Ｄ）の形成と同時に施肥または消毒を行え、また作物成育途中にマルチフィルム（４５）を大きく切開することなく小さな穴を形成するだけで部分的な施肥または消毒を行える一方、従来のヒータを用いた切断に比べ、マルチフィルム（４５）に対して噴射ノズル（５１）を非接触支持させるから、マルチフィルム（４５）面の凹凸による影響がなく、土が付着しても吹き飛ばすことにより影響がなく、臭または煙が発生せず、噴射ノズル（５１）の支持高さ及び角度が変化しても殆んど影響がなく、露または雨水などがマルチフィルム（４５）に付着しても支障がなく、また予熱時間が不要である等の利点を有するものである。
【００２５】
また、前記ノズル（５１）によるフィルム（４５）切断終了時にあっては、切断終了と同時に前記カム（９０）とバネ（８９）作用によってピックアップアーム（８４）先端が下降し、ピックアップベルト（７０ａ）（７０ｂ）の先端部が略円形に切断されたフィルム切断片（４５ａ）の略中央部を摘み上げる状態に拾い上げて容器（７２）迄搬送するもので、ピックアップベルト（７０ａ）（７０ｂ）は前記ノズル（５１）の切断作用に同期し、切断終了毎に一定短時間下降するものである。
【００２６】
さらに前記ピックアップベルト（７０ａ）（７０ｂ）は機体進行方向に対し左右横方向に配設することによって、植付爪（１７）やこの駆動機構（１９）との干渉が回避でき、また中間にベルト屈曲部（８０）を設けて搬送前半部を緩傾斜としてノズル（５１）などとの干渉を防止でき、切断片（４５ａ）の確実な拾い上げを可能にできると共に、搬送後半部を急傾斜として、植付爪（１７）側方の高位置に回収位置を確保してこの後処理作業などの至便化を図ることができる。
【００２７】
またさらに、マルチフィルム（４５）の切断及び切断片（４５ａ）の回収時にあっては、ノズル（５１）及びベルト（７０ａ）（７０ｂ）の下側に臨ませるフィルム押え板（９３）の平坦部（９３ｂ）を、押え板（９３）自体の弾性力でフィルム（４５）面に押圧させて、圃場表土の起伏や機体の上下動にも支障なくフィルム（４５）面に常に追従押圧させる状態とさせて、円滑な切断を助長させ、且つ切断片（４５ａ）の位置を安定させてこの回収での容易化と確実化を図ることができる。
【００２８】
図１６に示すものは、フィルム押え板（９３）に下方向の付勢手段を別途設けたもので、フィルム押え板（９３）を枢支軸（１１０）を支点として揺動自在に噴射弁（５２）に設け、押え板（９３）の平坦部（９３ｂ）を下方向に付勢する引張バネ（１１１）を押え板（９３）と噴射弁（５２）間に張架すると共に、押え板（９３）の下限及び上限用のストッパー（１１２）（１１３）を設けて、植付部（１０）上下動時の押え板（９３）の一定以上の下動及び上動を規制させて、ピックアップベルト（７０ａ）（７０ｂ）の安全保護や、押え板（９３）の反転防止などを図るように構成している。
【００２９】
また図１７乃至図１８に示すものは、ピックアップベルト（７０ａ）（７０ｂ）の送り作用面間に切断片除去用のスリッププレート（１１４）を配設させたもので、ベルト（７０ａ）（７０ｂ）の送り終端側でベルト（７０ａ）（７０ｂ）より左側位置に、前記プーリ軸（８２）と同一方向の回転軸（１１５）を有するプレート（１１４）を設けると共に、前後のベルト（７０ａ）（７０ｂ）の送り作用面間を挿通させて右側にプレート（１１４）の一部を突出させ、ベルト（７０ａ）（７０ｂ）によって拾い上げられたフィルム切断片（４５ａ）がプレート（１１４）位置まで挾持搬送されたとき、プレート（１１４）の強制回転或いはベルト（７０ａ）（７０ｂ）の摩擦力による回転によって、持ち廻りさせることなく回収容器（７２）内に投入させるように構成している。またこの場合プレート（１１４）はベルト（７０ａ）（７０ｂ）の駆動プーリ（７３ａ）（７３ｂ）からの外れ防止も行って搬送機能を安定維持させることができる。
【００３０】
【発明の効果】
以上実施例から明らかなように本発明は、マルチフィルム（４５）の切断片（４５ａ）を挾持搬送する一対のピックアップベルト（７０ａ）（７０ｂ）を備え、これらピックアップベルト（７０ａ）（７０ｂ）のピックアップ側を上下動自在に設けると共に、ピックアップ側を下方に付勢するピックアップ付勢手段（８９）を設けたものであるから、マルチフィルム（４５）で覆う圃場表土の起伏にピックアップベルト（７０ａ）（７０ｂ）のピックアップ部を良好に追従可能とさせて、表土に対するベルト（７０ａ）（７０ｂ）の順応性を良好とさせることができ、このピックアップ機能を向上させることができるものである。
【００３１】
また、マルチフィルム（４５）の切断片（４５ａ）を挾持搬送する一対のピックアップベルト（７０ａ）（７０ｂ）を備え、これらピックアップベルト（７０ａ）（７０ｂ）の略中間に中間プーリ（７９ａ）（７９ｂ）（７９ｃ）を配設して屈曲部（８０）を形成し、該屈曲部（８０）を中心としてベルト先端側を上下動自在に設けたものであるから、植付駆動部などを屈曲部（８０）によって回避した植付爪（１７）近傍位置でのコンパクトなピックアップベルト（７０ａ）（７０ｂ）の配設を可能にできると共に、屈曲部（８０）を中心として搬送前半では緩傾斜としてピックアップ機能を高め、後半では急傾斜として高位置における回収を可能とさせることができて、この作業性を向上させることができるものである。
【００３２】
さらに、マルチフィルム（４５）の切断片（４５ａ）を挾持搬送する一対のピックアップベルト（７０ａ）（７０ｂ）を備え、該ピックアップベルト（７０ａ）（７０ｂ）のピックアップ部下側に、マルチフィルム（４５）を押えるフィルム押え板（９３）を配設したものであるから、フィルム押え板（９３）によってマルチフィルム（４５）を安定且つ良好に押えながらの確実な切断やベルト（７０ａ）（７０ｂ）によるピックアップ作業を可能にできるもので、フィルム（４５）の切断とこの回収作業の能率向上化を図ることができるものである。
【００３３】
またさらに、フィルム押え板（９３）の後側を、中央を切欠いた２股形状に形成すると共に、この２股部（９３ｂ）を下方に付勢するように設けたものであるから、走行作業中マルチフィルム（４５）を切断及び回収する切断部や回収部が圃場の起伏や機体振動などによって上下動するときにも、常に安定良好にマルチフィルムを押えてこれら切断及び回収作業の確実化を図ることができるなどの顕著な効果を奏する。
【図面の簡単な説明】
【図１】回収部の背面説明図である。
【図２】全体の側面図である。
【図３】植付部の側面図である。
【図４】植付部の平面図である。
【図５】植付部の側面説明図である。
【図６】植付部の背面説明図である。
【図７】植付入力駆動部の平面説明図である。
【図８】植付入力駆動部の側面説明図である。
【図９】植付爪部の側面説明図である。
【図１０】回収部の平面説明図である。
【図１１】回収部の側面説明図である。
【図１２】フィルム押え板部の平面説明図である。
【図１３】回収部の動作説明図である。
【図１４】噴射弁部の説明図である。
【図１５】切断状態を示す説明図である。
【図１６】フィルム押え板の説明図である。
【図１７】スリッププレート部の背面説明図である。
【図１８】スリッププレート部の平面説明図である。
【符号の説明】
（４５）  フィルム
（４５ａ）  切断片
（７０ａ）（７０ｂ）  ベルト
（７９ａ）（７９ｂ）（７９ｃ）  中間プーリ
（８０）  屈曲部
（８９）  バネ
（９３）  フィルム押え板
（９３ｂ）  平坦部（２股部）
【図１】
0003557504.tif 000002
【図２】
0003557504.tif 000003
【図３】
0003557504.tif 000004
【図４】
0003557504.tif 000005
【図５】
0003557504.tif 000006
【図６】
0003557504.tif 000007
【図７】
0003557504.tif 000008
【図８】
0003557504.tif 000009
【図９】
0003557504.tif 000010
【図１０】
0003557504.tif 000011
【図１１】
0003557504.tif 000012
【図１２】
0003557504.tif 000013
【図１３】
0003557504.tif 000014
【図１４】
0003557504.tif 000015
【図１５】
0003557504.tif 000016
【図１６】
0003557504.tif 000017
【図１７】
0003557504.tif 000018
【図１８】
0003557504.tif 000019